(57)【要約】      （修正有）【課題】ヒラメの体色異常を抑制でき良好な成育も達成できるヒラメ飼育用配合飼料とこれを用いるヒラメ飼育方法を提供する。【解決手段】脂肪含量、カロリー含量、含有脂肪酸中のｎ３系脂肪酸とｎ６系脂肪酸の組成比、更にはＥＰＡやＤＨＡの組成比が特定の範囲内であるように調製されたヒラメ飼育用配合飼料。これらを用いるヒラメ飼育方法。【選択図】図３
2011142855.tif 000002
【特許請求の範囲】
【請求項１】
下記の（１）及び（２）の内のいずれか一つ以上の条件を満たすことを特徴とするヒラメ飼育用配合飼料。
（１）配合飼料の脂肪含量が５〜１２重量％の範囲内である。
（２）配合飼料のカロリー含量が３３０〜４００Kcal／１００g飼料である。
【請求項２】
下記の（１）〜（３）の内のいずれか一つ以上の条件を満たすことを特徴とするヒラメ飼育用配合飼料。
（１）配合飼料の含有脂肪酸中のｎ３系脂肪酸の組成比が２２〜２４％の範囲内である。
（２）配合飼料の含有脂肪酸中のｎ６系脂肪酸の組成比が１３〜１７％の範囲内である。
（３）配合飼料の含有脂肪酸中のｎ３系脂肪酸の組成比（Σｎ３）とｎ６系脂肪酸の組成比（Σｎ６）との比（Σｎ３／Σｎ６）が２〜４の範囲内である。
【請求項３】
下記の（１）及び（２）の内のいずれか一つ以上の条件を満たすことを特徴とするヒラメ飼育用配合飼料。
（１）配合飼料の含有脂肪酸中のエイコサペンタエン酸（ＥＰＡ）の組成比が７〜１１％の範囲内である。
（２）配合飼料の含有脂肪酸中のドコサヘキサエン酸（ＤＨＡ）の組成比が１１〜１３％の範囲内である。
【請求項４】
請求項１〜請求項３のいずれかに記載のヒラメ飼育用配合飼料であって、更にタウリン含量が５００〜７００ｍｇ％の範囲内であることを特徴とするヒラメ飼育用配合飼料。
【請求項５】
ヒラメ仔稚魚に対して請求項１〜請求項４のいずれかに記載のヒラメ飼育用配合飼料を投与することを特徴とするヒラメ飼育方法。
【請求項６】
前記ヒラメ飼育方法において、予めヒラメ飼育用生物餌料の投与期間を先行させ、その投与期間の終了前にヒラメ飼育用配合飼料の投与を開始することを特徴とする請求項５に記載のヒラメ飼育方法。
【請求項７】
前記ヒラメ飼育方法において、ヒラメ飼育用生物餌料が以下のイ）〜ニ）に示す生物餌料の１種以上であることを特徴とする請求項６に記載のヒラメ飼育方法。
イ）下記の（ａ）及び（ｂ）の内のいずれか１以上の条件を満たすように栄養強化されたワムシを有効成分とするヒラメ飼育用ワムシ系第１生物餌料。
（ａ）脂肪含量が１０．５〜１１．５重量％ｄｍの範囲内である。
（ｂ）含有脂肪酸中のｎ３系脂肪酸の組成比が１０〜１５％の範囲内である。
ロ）上記のイ）に記載のワムシであって、グルカン及び／又はブドウポリフェノールを添加して栄養強化されたワムシを有効成分とするヒラメ飼育用ワムシ系第２生物餌料。
ハ）下記の（ｃ）〜（ｅ）の内のいずれか１以上の条件を満たすように栄養強化されたアルテミアを有効成分とするヒラメ飼育用アルテミア系第１生物餌料。
（ｃ）脂肪含量が２２〜２６重量％ｄｍの範囲内である。
（ｄ）含有脂肪酸中のｎ３系脂肪酸の組成比が４０〜４４％の範囲内である。
（ｅ）含有脂肪酸中のｎ６系脂肪酸の組成比が１０〜１２％の範囲内である。
ニ）上記のハ）に記載のアルテミアであって、グルカン及び／又はブドウポリフェノールを添加して栄養強化されたアルテミアを有効成分とするヒラメ飼育用アルテミア系第２生物餌料。
【発明の詳細な説明】
【技術分野】
【０００１】
本発明は、ヒラメ飼育用配合飼料及びヒラメ飼育方法に関する。更に詳しくは本発明は、ヒラメの飼育において腹面黒化等の不具合を有効に防止し得るヒラメ飼育用配合飼料と、このヒラメ飼育用配合飼料を投与して行うヒラメ飼育方法に関する。
【背景技術】
【０００２】
近年、養殖魚類に対する生物餌料や配合飼料の研究・開発を背景に、各種水産動物の養殖技術が発展し、食用魚全体に占める養殖魚の割合が高くなってきている。
【０００３】
例えば生物餌料や配合飼料においてエイコサペンタエン酸（ＥＰＡ）やドコサヘキサエン酸（ＤＨＡ）等のｎ３系高度不飽和脂肪酸を栄養強化すると、魚体の成長や養殖魚の生残率の向上に有効であると言われている。
【０００４】
しかし、本願発明者の研究によれば、例えばヒラメの養殖において、魚体の成長の他に体色異常の問題も考慮したとき、ｎ３系高度不飽和脂肪酸の増加のみに注力した現在の生物餌料への栄養強化法や配合飼料への油の添加は必ずしも有効ではない。
【０００５】
ヒラメの体色異常とは、本来は白色を呈するべき腹面が黒色を呈する「腹面黒化」や、本来は黒色を呈するべき背面が白色を呈する「背面白化」をいう。かかる体色異常はヒラメの市場価値を著しく低下させるものであり、とりわけ腹面黒化が重大な問題であると考えられる。
【０００６】
従来、養殖魚を対象とした配合飼料あるいは生物餌料に関しては下記「特許文献１」〜「特許文献３」に例示される多数の公知文献が存在する。しかしこれらの公知文献において、ヒラメの体色異常を有効に解決できる十分な提案は開示されていない。
【先行技術文献】
【特許文献】
【０００７】
【特許文献１】特開昭６０−１５６３４９号公報。  この特許文献１は、グルタチオンを各種の給餌形態のもとに使用して魚介類を養殖し、それらの魚介類の体色黒化を防止するための魚介類の養殖方法及び魚介類飼料の発明を開示する。
【０００８】
【特許文献２】特開平１１−２７６０９１号公報。  この特許文献２は、構成脂肪酸として所定組成比以上のドコサペンタエン酸を含む油脂及び微生物を配合し、魚類の種苗生産における奇形の発生を防止するための動物性プランクトン用飼料及び魚類の奇形防止剤の発明を開示する。
【０００９】
【特許文献３】特開２００７−３１４４９２号公報。  この特許文献３は、cis９，trans１１−共役リノール酸と魚油を有効成分として含む、脂質代謝の改善を図るための脂質代謝改善用組成物を開示する。
【発明の概要】
【発明が解決しようとする課題】
【００１０】
以上の従来技術状況から、本発明は、腹面黒化等のヒラメの体色異常の発生を有効に抑制でき、更にヒラメ仔稚魚の良好な成育等も達成できるヒラメ飼育用配合飼料と、このヒラメ飼育用配合飼料を投与して行うヒラメ飼育方法を提供することを、解決すべき技術的課題とする。
【課題を解決するための手段】
【００１１】
（第１発明の構成）
上記課題を解決するための第１発明の構成は、下記の（１）及び（２）の内のいずれか一つ以上の条件を満たすヒラメ飼育用配合飼料である。
【００１２】
（１）配合飼料の脂肪含量が５〜１２重量％の範囲内である。
【００１３】
（２）配合飼料のカロリー含量が３３０〜４００Kcal／１００g飼料（蛋白質は５Ｋｃａｌ、脂肪は９Ｋｃａｌ、炭水化物は２Ｋｃａｌ／ｇで計算）である。
【００１４】
（第２発明の構成）
上記課題を解決するための第２発明の構成は、下記の（１）〜（３）の内のいずれか一つ以上の条件を満たすヒラメ飼育用配合飼料である。
【００１５】
（１）配合飼料の含有脂肪酸中のｎ３系脂肪酸の組成比が２２〜２４％の範囲内である。
【００１６】
（２）配合飼料の含有脂肪酸中のｎ６系脂肪酸の組成比が１３〜１７％の範囲内である。
【００１７】
（３）配合飼料の含有脂肪酸中のｎ３系脂肪酸の組成比（Σｎ３）とｎ６系脂肪酸の組成比（Σｎ６）との比（Σｎ３／Σｎ６）が２〜４の範囲内である。
【００１８】
（第３発明の構成）
上記課題を解決するための第３発明の構成は、下記の（１）及び（２）の内のいずれか一つ以上の条件を満たすヒラメ飼育用配合飼料である。
【００１９】
（１）配合飼料の含有脂肪酸中のエイコサペンタエン酸（ＥＰＡ）の組成比が７〜１１％の範囲内である。
【００２０】
（２）配合飼料の含有脂肪酸中のドコサヘキサエン酸（ＤＨＡ）の組成比が１１〜１３％の範囲内である。
【００２１】
（第４発明の構成）
上記課題を解決するための第４発明の構成は、第１発明〜第３発明のいずれかに記載のヒラメ飼育用配合飼料であって、更にタウリン含量が５００〜７００ｍｇ％の範囲内であるヒラメ飼育用配合飼料である。
【００２２】
（第５発明の構成）
上記課題を解決するための第５発明の構成は、ヒラメ仔稚魚に対して第１発明〜第４発明のいずれかに記載のヒラメ飼育用配合飼料を投与するヒラメ飼育方法である。
【００２３】
（第６発明の構成）
上記課題を解決するための第６発明の構成は、前記第５発明に係るヒラメ飼育方法において、予めヒラメ飼育用生物餌料の投与期間を先行させ、その投与期間の終了前にヒラメ飼育用配合飼料の投与を開始するヒラメ飼育方法である。
【００２４】
（第７発明の構成）
上記課題を解決するための第７発明の構成は、前記第６発明に係るヒラメ飼育方法において、ヒラメ飼育用生物餌料が以下のイ）〜ニ）に示す生物餌料の１種以上であるヒラメ飼育方法である。
【００２５】
イ）下記の（ａ）及び（ｂ）の内のいずれか１以上の条件を満たすように栄養強化されたワムシを有効成分とするヒラメ飼育用ワムシ系第１生物餌料。
【００２６】
（ａ）脂肪含量が１０．５〜１１．５重量％ｄｍの範囲内である。
【００２７】
（ｂ）含有脂肪酸中のｎ３系脂肪酸の組成比が１０〜１５％の範囲内である。
【００２８】
ロ）上記のイ）に記載のワムシであって、グルカン及び／又はブドウポリフェノールを添加して栄養強化されたワムシを有効成分とするヒラメ飼育用ワムシ系第２生物餌料。
【００２９】
ハ）下記の（ｃ）〜（ｅ）の内のいずれか１以上の条件を満たすように栄養強化されたアルテミアを有効成分とするヒラメ飼育用アルテミア系第１生物餌料。
【００３０】
（ｃ）脂肪含量が２２〜２６重量％ｄｍの範囲内である。
【００３１】
（ｄ）含有脂肪酸中のｎ３系脂肪酸の組成比が４０〜４４％の範囲内である。
【００３２】
（ｅ）含有脂肪酸中のｎ６系脂肪酸の組成比が１０〜１２％の範囲内である。
【００３３】
ニ）上記のハ）に記載のアルテミアであって、グルカン及び／又はブドウポリフェノールを添加して栄養強化されたアルテミアを有効成分とするヒラメ飼育用アルテミア系第２生物餌料。
【発明の効果】
【００３４】
ヒラメ仔稚魚に対して第１発明〜第３発明のいずれかに規定する条件をを満たすヒラメ飼育用配合飼料を投与すると、腹面黒化等の体色異常の発現を有効に抑制することができる。第１発明、第２発明、第３発明の内、二つの発明に規定する条件を併せ満たすヒラメ飼育用配合飼料は体色異常の抑制効果が特に優れ、三つの発明に規定する条件を全て満たすヒラメ飼育用配合飼料は体色異常の抑制効果がとりわけ優れる。
【００３５】
第１発明のヒラメ飼育用配合飼料は１０％以上の脂肪を含む飼料に比較し、多少ヒラメの成長は劣るが、第２発明又は第３発明のヒラメ飼育用配合飼料を投与した場合でもヒラメ魚体の成長度は標準的又はそれ以上である。
【００３６】
以上のヒラメ飼育用配合飼料であって、更にタウリン含量が第４発明に規定する範囲内であるものは、体色異常の抑制効果を維持したもとで、ヒラメ魚体の成長が更に良好である。
【００３７】
これらの配合飼料は、好ましくは第５発明又は第６発明の方法に従って投与することができる。
【００３８】
特に第７発明のように、生物餌料として特定のヒラメ飼育用ワムシ系生物餌料やヒラメ飼育用アルテミア系生物餌料を用いる場合、ヒラメ飼育用配合飼料の投与効果とあいまって、ヒラメ仔稚魚の良好な成育、ヒラメの体色異常、特に腹面黒化の発生の有効な抑制に極めて優れた効果を期待できる。
【図面の簡単な説明】
【００３９】
【図１】ヒラメの全長と配合飼料の特徴との関係を示す。
【図２】ヒラメの黒化魚率と配合飼料の特徴との関係を示す。
【図３】ヒラメの黒化魚率と配合飼料の特徴との関係を示す。
【図４】ヒラメの黒化魚率と配合飼料の特徴との関係を示す。
【発明を実施するための形態】
【００４０】
次に本発明の実施形態を、その最良の形態を含めて説明する。
【００４１】
〔ヒラメ飼育用配合飼料〕
本発明に係るヒラメ飼育用配合飼料は下記の第１の特徴〜第３の特徴の内の一つ以上の特徴を備えた配合飼料であり、好ましくは更に、下記の第４の特徴を備えた配合飼料である。
【００４２】
（第１の特徴）
第１の特徴は、配合飼料が下記の（１）及び（２）の内のいずれか一方の条件を満たし、特に好ましくはその双方の条件を満たすことである。
【００４３】
（１）配合飼料の脂肪含量が５〜１２重量％の範囲内である。より好ましくは６〜１０重量％の範囲内である
（２）配合飼料のカロリー含量が３３０〜４００Kcal／１００g飼料である。より好ましくは３６０〜３７０Ｋｃａｌ／１００ｇの範囲内である。
【００４４】
（第２の特徴）
第２の特徴は、配合飼料が下記の（１）〜（３）の内のいずれか一つの条件を満たし、特に好ましくはその内のいずれか二つの条件を満たし、とりわけ好ましくは全ての条件を満たすことである。
【００４５】
（１）配合飼料の含有脂肪酸中のｎ３系脂肪酸の組成比が２２〜２４％の範囲内である。より好ましくは２２．５〜２３．５％の範囲内である。
【００４６】
（２）配合飼料の含有脂肪酸中のｎ６系脂肪酸の組成比が１３〜１７％の範囲内である。より好ましくは１４〜１６％の範囲内である。
【００４７】
（３）配合飼料の含有脂肪酸中のｎ３系脂肪酸の組成比（Σｎ３）とｎ６系脂肪酸の組成比（Σｎ６）との比（Σｎ３／Σｎ６）が２〜４の範囲内である。より好ましくは２．５〜３．５の範囲内である。
【００４８】
（第３の特徴）
第３の特徴は、配合飼料が下記の（１）及び（２）の内のいずれか一方の条件を満たし、特に好ましくはその双方の条件を満たすことである。
【００４９】
（１）配合飼料の含有脂肪酸中のエイコサペンタエン酸（ＥＰＡ）の組成比が７〜１１％の範囲内である。より好ましくは７．５〜１０．５％の範囲内である。
【００５０】
（２）配合飼料の含有脂肪酸中のドコサヘキサエン酸（ＤＨＡ）の組成比が１１〜１３％の範囲内である。より好ましくは１１．５〜１２．５％の範囲内である。
【００５１】
（第４の特徴）
第４の特徴は、上記の第１の特徴〜第３の特徴の内の一つ以上の特徴を備えた配合飼料が、更に５００〜７００ｍｇ％の範囲内のタウリンを含有することである。より好ましくは５５０〜６５０ｍｇ％の範囲内のタウリンを含有することである。
【００５２】
〔ヒラメ飼育方法〕
本発明に係るヒラメ飼育方法は、ヒラメ仔稚魚に対して本発明に係る上記いずれかのヒラメ飼育用配合飼料を投与する方法である。
【００５３】
本発明のヒラメ飼育方法におけるヒラメ飼育用配合飼料の投与スケジュールは特に限定されない。しかし、一般的には、以下の投与スケジュールに従うことが好ましい。
【００５４】
（１）基本的には、予めヒラメ飼育用生物餌料の投与期間を先行させ、その投与期間の終了前にヒラメ飼育用配合飼料の投与を開始する。ヒラメ飼育用生物餌料の種類は限定されないが、ワムシ、アルテミア、又はこれらに対して適宜に栄養強化を施した生物餌料が例示される。
【００５５】
（２）ヒラメ飼育用配合飼料の投与は、ヒラメ仔稚魚が配合飼料を摂食可能になったと判断される時点で開始する。
【００５６】
（３）配合飼料の投与開始から2〜3週間を経過した時点で生物餌料の投与期間を終了する。
【００５７】
〔ヒラメ飼育方法における特徴的な生物餌料の併用〕
なお、上記の（１）で述べた生物餌料として、ヒラメ仔稚魚の良好な成育を達成できると共にヒラメの体色異常、特に腹面黒化の発生を有効に抑制できるという目的から、好ましくは以下に「ヒラメ飼育用生物餌料」のイ）〜ニ）として示す生物餌料が例示される。
【００５８】
これらの内から、ワムシ系生物餌料及び／又はアルテミア系生物餌料（特に好ましくはワムシ系第２生物餌料及び／又はアルテミア系第２生物餌料）を用いることができる。ワムシ系生物餌料とアルテミア系生物餌料の併用がとりわけ好ましく、その場合、限定はされないが、ワムシ系生物餌料の投与期間を先行させ、その投与期間の終了前にアルテミア系生物餌料の投与期間を開始する、という投与スケジュールが好ましい。
（ヒラメ飼育用生物餌料）
イ）下記の（ａ）及び（ｂ）の内のいずれか１以上の条件を満たすように栄養強化されたワムシを有効成分とするヒラメ飼育用ワムシ系第１生物餌料。
【００５９】
（ａ）脂肪含量が１０．５〜１１．５重量％ｄｍの範囲内である。
【００６０】
（ｂ）含有脂肪酸中のｎ３系脂肪酸の組成比が１０〜１５％の範囲内である。
【００６１】
ロ）上記のイ）に記載のワムシであって、グルカン（好ましくは、パン酵母由来β−１，３／１，６−グルカン）及び／又はブドウポリフェノール（好ましくは、ブドウ種子抽出ポリフェノール）を添加して栄養強化されたワムシを有効成分とするヒラメ飼育用ワムシ系第２生物餌料。なお、グルカン１０重量部程度とブドウポリフェノール１重量部程度の重量比での併用が特に好ましい。
【００６２】
ハ）下記の（ｃ）〜（ｅ）の内のいずれか１以上の条件を満たすように栄養強化されたアルテミアを有効成分とするヒラメ飼育用アルテミア系第１生物餌料。
【００６３】
（ｃ）脂肪含量が２２〜２６重量％ｄｍの範囲内である。
【００６４】
（ｄ）含有脂肪酸中のｎ３系脂肪酸の組成比が４０〜４４％の範囲内である。
【００６５】
（ｅ）含有脂肪酸中のｎ６系脂肪酸の組成比が１０〜１２％の範囲内である。
【００６６】
ニ）上記のハ）に記載のアルテミアであって、グルカン（好ましくは、パン酵母由来β−１，３／１，６−グルカン）及び／又はブドウポリフェノール（好ましくは、ブドウ種子抽出ポリフェノール）を添加して栄養強化されたアルテミアを有効成分とするヒラメ飼育用アルテミア系第２生物餌料。なお、グルカン１０重量部程度とブドウポリフェノール１重量部程度の重量比での併用が特に好ましい。
【実施例】
【００６７】
次に本願発明の実施例を説明する。本発明の技術的範囲は以下の実施例によって限定されない。
【００６８】
〔実施例１：試験区の設定〕
投与する配合飼料の種類が異なる以下のＡ区〜Ｄ区の４区を設定した。各試験区で用いた配合飼料の内容を以下に述べる。「ＥＰＡ組成比」とは配合飼料の含有脂肪酸中のエイコサペンタエン酸（ＥＰＡ）の組成比を意味し、「ＤＨＡ組成比」とは配合飼料の含有脂肪酸中のドコサヘキサエン酸（ＤＨＡ）の組成比を意味する。
【００６９】
Ａ区では、ヒガシマル社の配合飼料（商品名「珊瑚：種苗１号」）を用いた。その一般成分や脂肪酸の組成等は以下に示す通りである。
一般成分（％）、カロリー含量、タウリン含量：
水分                ８．４
蛋白質              ５１．１
脂肪                １０
灰分                １３．７
カロリー含量        ３７９Kcal／１００g飼料
タウリン含量        ３５０ｍｇ％。
脂肪酸組成：
Σｎ３              ２８．１％
Σｎ６              １０．３％
Σｎ３／Σｎ６      ２．７３
ＥＰＡ組成比        １０．３％
ＤＨＡ組成比        １１．９％。
【００７０】
Ｂ区では、日清丸紅飼料社の配合飼料（商品名「アルテック：K2」）を用いた。その一般成分や脂肪酸の組成等は以下に示す通りである。
一般成分（％）、カロリー含量、タウリン含量：
水分                ６．９
蛋白質              ５６．８
脂肪                １６．４
灰分                １２．８
カロリー含量        ４４６Kcal／１００g飼料
タウリン含量        ５６０ｍｇ％。
脂肪酸組成：
Σｎ３              ２７．０％
Σｎ６              ５．７％
Σｎ３／Σｎ６      ４．７５
ＥＰＡ組成比        １２．４％
ＤＨＡ組成比        １０．５％。
【００７１】
Ｃ区では、日清マリンテック社の配合飼料（商品名「マリンキング」）を用いた。その一般成分や脂肪酸の組成等は以下に示す通りである。
一般成分（％）、カロリー含量、タウリン含量：
水分                ６．４
蛋白質              ５７．５
脂肪                １３．５
灰分                １３．５
カロリー含量        ４２７Kcal／１００g飼料
タウリン含量        ３８０ｍｇ％。
脂肪酸組成：
Σｎ３              ２９．３％
Σｎ６              ２．９％
Σｎ３／Σｎ６      １０．１
ＥＰＡ組成比        １５．０％
ＤＨＡ組成比        １０．３％。
【００７２】
Ｄ区では、オリエンタル酵母工業社の配合飼料（商品名「あゆスウィート」）を用いた。その一般成分や脂肪酸の組成等は以下に示す通りである。
一般成分（％）、カロリー含量、タウリン含量：
水分                ６．４
蛋白質              ４８．４
脂肪                ５．７
灰分                １３．５
カロリー含量        ３３８Kcal／１００g飼料
タウリン含量        ２４０ｍｇ％。
脂肪酸組成：
Σｎ３              ２２．９％
Σｎ６              １５．０％
Σｎ３／Σｎ６      １．５３
ＥＰＡ組成比        ８．１％
ＤＨＡ組成比        １０．６％。
【００７３】
〔実施例２：先行投与する生物餌料〕
上記Ａ区〜Ｄ区のいずれにおいても、配合飼料の投与に先だって、実施例３に示す投与スケジュールに従い同一の栄養強化したワムシとアルテミアを同一の条件で投与した。ワムシとアルテミアの栄養強化条件は下記の通りであるが、いずれも現在の標準的な栄養強化条件である。
【００７４】
ワムシの培養液は１０００個体／ｍｌに調整し、アルテミアの培養液は１００〜１５０個体／ｍｌに調整した。これらのワムシ、アルテミアに対してシゾキトリウム属の植物プランクトン（脂肪含量３５．２％、脂肪酸中のＤＨＡの組成比４９．６％）を毎日朝夕に分けて１日当たり合計３liter／ton（１７時に２liter、翌朝６時に１liter）与えて栄養強化した。
【００７５】
〔実施例３：ヒラメの飼育〕
（生物餌料及び配合飼料の給餌）
Ａ区〜Ｄ区の各試験区ごとに、５００Ｌ容量の水槽を各区２水槽ずつ準備して、これらの水槽にそれぞれヒラメ受精卵７５００粒を収容し、孵化させた。孵化後３日目よりワムシの朝夕の給餌を開始した。ワムシは各試験区ともに前記のように栄養強化したものを用い、その給餌量は毎日２５０万個体〜１２００万個体の範囲内で、魚の成長に従って多くした。ワムシの給餌は孵化後３０日令まで続けた。
【００７６】
一方、ヒラメ仔稚魚が１８日令に達した時、各試験区ともに前記のように栄養強化したアルテミアの朝夕の給餌を開始した。その給餌量は毎日３０万個体〜６００万個体の範囲内で、魚の成長に従って多くした。アルテミアの給餌は孵化後５７日令まで続けた。
【００７７】
更に、孵化後３２日令で、各試験区ごとに異なる前記の配合飼料の給餌を開始した。いずれの試験区でも配合飼料は朝夕の２回の給餌とし、給餌量は毎日３〜６０ｇとし、魚の成長に従って多くした。配合飼料の給餌は孵化後９２日令、即ち飼育の終了まで継続した。
【００７８】
（分養その他）
以上の飼育期間中、孵化後２８日令に達した時点で２５５０尾／５００Ｌ容水槽に分養した。又、孵化後５９日令に達した時点では、いずれの試験区でも１００尾の全長、体表色、奇形等を調査すると共に、７００尾／５００Ｌ容水槽に分養した。更に飼育試験終了時の孵化後９２日令においても同様に処理した。
【００７９】
〔実施例４：試験結果〕
（試験区別のヒラメの成長）
孵化後９２日令に達した時点でチェックしたＡ区〜Ｄ区のヒラメの全長と、各試験区で用いた配合飼料の特徴との関係を調べた。その結果を図１に示す。
【００８０】
図１において、図１（ａ）は各試験区で用いた配合飼料の脂肪含量とヒラメの全長との関係を、図１（ｂ）は各試験区で用いた配合飼料のタウリン含量とヒラメの全長との関係を、それぞれ◆のプロットで示す。
【００８１】
（試験区別の腹面黒化の発現率）
飼育を終了した時点のヒラメにおける腹面黒化の発現率と、各試験区で用いた配合飼料の特徴との関係を調べた。それらの調査結果を図２〜図４に示す。
【００８２】
図２において、図２（ａ）は各試験区で用いた配合飼料の脂肪含量と黒化魚率（ヒラメの腹面黒化魚出現率である。以下同様）との関係を、図２（ｂ）は各試験区で用いた配合飼料のカロリー含量と黒化魚率との関係を、それぞれ◆のプロットで示す。
【００８３】
図３において、図３（ａ）は各試験区で用いた配合飼料の含有脂肪酸中のｎ３系脂肪酸の組成比（Σｎ３）と黒化魚率との関係を、図３（ｂ）は各試験区で用いた配合飼料の含有脂肪酸中のｎ６系脂肪酸の組成比（Σｎ６）と黒化魚率との関係を、図３（ｃ）は各試験区で用いた配合飼料におけるΣｎ３／Σｎ６と黒化魚率との関係を、それぞれ◆のプロットで示す。
【００８４】
図４において、図４（ａ）は各試験区で用いた配合飼料の含有脂肪酸中のエイコサペンタエン酸（ＥＰＡ）の組成比と黒化魚率との関係を、図４（ｂ）は各試験区で用いた配合飼料の含有脂肪酸中のドコサヘキサエン酸（ＤＨＡ）の組成比と黒化魚率との関係を、それぞれ◆のプロットで示す。
【００８５】
〔実施例５：試験結果の評価〕
以上の試験結果から、主として黒化魚率を考慮し、あるいは黒化魚率とヒラメの成長とを併せ考慮して、以下（１）〜（８）の知見が得られた。
【００８６】
（１）配合飼料の脂肪含量は５〜１２重量％の範囲内、端的には８重量％程度が好ましい。
【００８７】
（２）配合飼料のカロリー含量は３３０〜４００Kcal／１００g飼料の範囲内、端的には３７０Ｋｃａｌ/１００ｇ程度が好ましい。
【００８８】
（３）配合飼料の含有脂肪酸中のｎ３系脂肪酸の組成比（Σｎ３）は、２２〜２４％の範囲内、端的には２３％程度が好ましい。
【００８９】
（４）配合飼料の含有脂肪酸中のｎ６系脂肪酸の組成比（Σｎ６）は１３〜１７％の範囲内、端的には１５％程度が好ましい。
【００９０】
（５）配合飼料の含有脂肪酸中のｎ３系脂肪酸の組成比（Σｎ３）とｎ６系脂肪酸の組成比（Σｎ６）との比（Σｎ３／Σｎ６）は、２〜４の範囲内、端的には３程度が好ましい。
【００９１】
（６）配合飼料の含有脂肪酸中のエイコサペンタエン酸（ＥＰＡ）の組成比は、７〜１１％の範囲内、端的には９％程度が好ましい。
【００９２】
（７）配合飼料の含有脂肪酸中のドコサヘキサエン酸（ＤＨＡ）の組成比は、１１〜１３％の範囲内、端的には１２％程度が好ましい。
【００９３】
（８）以上の点に加え配合飼料のタウリン含量は５００〜７００ｍｇ％の範囲内が好ましい。
【産業上の利用可能性】
【００９４】
本発明により、ヒラメの体色異常を抑制でき、その良好な成育も達成できるヒラメ飼育用配合飼料と、これを用いるヒラメ飼育方法が提供される。
【図１】
2011142855.tif 000003
【図２】
2011142855.tif 000004
【図３】
2011142855.tif 000005
【図４】
2011142855.tif 000006